(57)【特許請求の範囲】
【請求項１】
液体タンク（１）の排出口に接続される液体取出配管（７）に、開閉弁（Ｖ）を設けた排出管（８）を接続し、この排出管（８）の開口端にジョイント（１０）を介してホース（１１）を接続してなる、液体タンクにおける液体排出管装置において、
前記開閉弁（Ｖ）は、中央部に円形の弁口（１４）を有する円筒状の透明体よりなる弁ハウジング（１２）と、その弁ハウジング（１２）に支軸（１８）を介して回転自在に支承されると共に前記弁口（１４）に開閉可能に収容されて閉弁時に該弁口（１４）の内周面に外周部が接する円形の弁体（１３）とを備えたバタフライ弁より構成され、前記透明体を通して開閉弁（Ｖ）内の液体を透視できるようにしたことを特徴とする、液体タンクにおける液体排出管装置。
【請求項２】
液体タンク（１）の排出口に接続される液体取出配管（７）に、複数の開閉弁（Ｖ，Ｖｄ）を直列に設けた排出管（１０８）を接続し、この排出管（１０８）の開口端にジョイント（１０）を介してホース（１１）を接続してなる、液体タンクにおける液体排出管装置において、
前記複数の開閉弁（Ｖ，Ｖｄ）のうち、上流側の開閉弁（Ｖ）の弁ハウジング（１２）を透明体により構成し、この透明体（１２）を通して開閉弁（Ｖ）内の液体を透視できるようにしたことを特徴とする、液体タンクにおける液体排出管装置。
【発明の詳細な説明】
【０００１】
【発明の属する技術分野】
本発明は主としてタンクローリに搭載される液体タンクにおける液体排出管装置に関するものである。
【０００２】
【従来の技術】
従来タンクローリに搭載される液体タンク内を、複数種の液体を収容すべく、複数のタンク室に仕切り、これらのタンク室を底弁を介して液体取出配管に連結し、この液体取出配管に接続される、開閉弁を接続した排出管の一部を透視可能な透明体により構成して、その排出管を流れる液体の種類を外部より判別できるようにしたものは公知である（実開昭５７−１５４５３５号公報、実開平５−２９９９４号公報参照）。
【０００３】
【発明が解決しようとする課題】
ところで前記従来のものでは、排出管の一部を透明体により構成していることにより、その排出管は、透明部分と、残余の不透明部とを、合成樹脂、金属等の異種材料により構成し、さらにそれらを液密に接続するための、接続手段が必要になり、部品点数を増すばかりでなく構造が複雑化して、全体として大幅なコスト増を招き、その上透明部の交換、清掃等のメンテナンスが厄介であるという、課題がある。
【０００４】
本発明はかかる事情に鑑みてなされたもので、排出管に接続される開閉弁のハウジング自体を透明体により構成することにより、前記課題を解決した、新規な液体タンクにおける液体排出管装置を提供することを目的とするものである。
【０００５】
【課題を解決するための手段】
前記目的達成のため、本請求項１記載の発明は、液体タンクの排出口に接続される液体取出配管に、開閉弁を設けた排出管を接続し、この排出管の開口端にジョイントを介してホースを接続してなる、液体タンクにおける液体排出管装置において、前記開閉弁が、中央部に円形の弁口を有する円筒状の透明体よりなる弁ハウジングと、その弁ハウジングに支軸を介して回転自在に支承されると共に前記弁口に開閉可能に収容されて閉弁時に該弁口の内周面に外周部が接する円形の弁体とを備えたバタフライ弁より構成され、前記透明体を通して開閉弁内の液体を透視できるようにしたことを特徴としている。
【０００６】
また前記目的達成のため、本請求項２記載の発明は、液体タンクの排出口に接続される液体取出配管に、複数の開閉弁を直列に設けた排出管を接続し、この排出管の開口端にジョイントを介してホースを接続してなる、液体タンクにおける液体排出管装置において、前記複数の開閉弁のうち、上流側の開閉弁の弁ハウジングを透明体により構成し、この透明体を通して開閉弁内の液体を透視できるようにしたことを特徴としている。
【０００７】
【発明の実施の形態】
以下、本発明の実施の形態を、添付図面に示した本発明の実施例について説明する。
【０００８】
先ず図１〜４を参照して本発明の第１実施例について説明するに、図１は、本発明液体タンクにおける液体排出管装置を備えたタンクローリの側面図、図２は、図１の２線矢視の液体排出管装置の側面図、図３は、図２の３〜３線に沿う断面図、図４は、図２の４−４線に沿う断面図である。
【０００９】
図１において、タンクローリは、トラクタＴｔと、トレーラＴｌとより構成されており、トレーラＴｌ上に搭載される液体タンク１の前部は、トラクタＴｔ上に連結器Ｊを介して着脱自在に支持されている。
【００１０】
図１，２において、液体タンク１内は、そこに前後方向に隔設される複数の隔壁２，３，４により複数の液体室Ｌ1 〜Ｌ4 に区画されており、これらの液体室Ｌ1 〜Ｌ4 の底壁にそれぞれ開口した排出口５1 〜５4 は、底弁６1 〜６4 を介して液体タンク１の前後方向に沿って延びる一本の液体取出配管７に接続されている。この液体取出配管７の前後には、排出管８，８がそれぞれ接続され、各排出管８の途中には、開閉弁すなわちバタフライ弁Ｖがそれぞれ接続されており、さらにその排出管８の開口端には、ジョイント１０を介してホース１１が接続される。
【００１１】
次に主に図３，４を参照して前記バタフライ弁Ｖの構造について詳細に説明すると、この弁Ｖは、弁ハウジング１２と、この弁ハウジング１２内の開閉自在に設けられる弁体１３とより構成されている。前記弁ハウジング１２は、透明アクリル樹脂等の合成樹脂製透明体により、上部にハンドル取付部１２1 を有して短円筒状に成形され、その中央部には円形の弁口１４が開口され、この弁口１４には、その弁口１４の内周面に閉弁時に外周部が接する円形の弁体１３が開閉可能に収容されており、この弁体１３の下部弁軸１６は弁ハウジング１２の下部に固着した支軸１８により回転自在に支承され、また弁体１５の上部弁軸１７は、弁ハウジング１２の上部に穿設した軸受孔１９を回転自在に貫通して、その上端が弁ハウジング１２の上面よりも上方に突出しており、その突出上端に、ハンドル２１の基部が固着され、この基部はハンドル取付部１２1 の上面にスペーサ２０を介して回動自在に支持されており、ハンドル２１の回動操作により、弁体１３を開閉制御することができる。また弁ハウジング１２の、ハンドル取付部１２1 内には、バネ２２により、上部弁軸１７側に付勢されるノッチボール２３が設けられ、このノッチボール２３を上部弁軸１７に形成したノッチ２４に係合させることにより、弁体１３は、弁口１４内を閉じ位置に係止される。なお、符号２５はスプリングピン、符号２６はＯリングである。
【００１２】
弁ハウジング１２の外周部には、同心円上に複数の取付孔２８…が、その軸方向に穿設されている。前記排出管８は、前記液体取出配管７に接続される上流側排出管８ｕと、前記ホース１１に接続される下流側排出管８ｕとよりなり、上流側排出管８ｕの下流端に形成した取付フランジ部ｆ1 と、下流側排出管８ｕの上流端に形成した取付フランジ部ｆ2 との間に前記バタフライ弁Ｖを介在させ、それらの取付フランジのボルト孔と、バタフライ弁Ｖの取付孔２８とにそれぞれ取付ボルト２９を貫通固定することにより、上流側排出管８ｕと、下流側排出管８ｄとの間にバタフライ弁Ｖが液密に一体に接続される。
【００１３】
次にこの第一実施例の作用について説明すると、一般に液体タンク１の複数の液体室Ｌ1 〜Ｌ4 には、それぞれ異種の液体を収容して運搬するものであるが、たとえば液体室Ｌ1 にガソリン（一般に橙色に着色）を、また液体室Ｌ2 に灯油（一般に無色）を収容してある場合に、底弁６1 を開弁すれば、液体室Ｌ1 内のガソリンを、また底弁６2 を開弁すれば、液体室Ｌ2 内の灯油をそれぞれ液体取出配管７および上流側排出管８ｕを通して、閉じているバタフライ弁Ｖの弁ハウジング１２内の上流側部分に流入させることができる。而して弁ハウジング１２は、透明体により構成されているので、弁ハウジング１２内に流入した液体がガソリンであるか、あるいは灯油であるかを即座に外部より透視することができ、その液体の判別をすることができる。
【００１４】
以上のように、排出すべき液体が指定の液体であることを確認したら、そのバタフライ弁Ｖを開弁することによりホース１１通してその液体を外部のタンク等に注油することができる。
【００１５】
次に本発明の第二実施例について説明する。
【００１６】
図５は液体タンクにおける液体排出管装置の第二実施例の側面図であり、前記第一実施例と同一要素には同一符号が付される。
【００１７】
この第二実施例では、上流側排出管１０８ｕの途中に、前記第一実施例と同じ構造のバタフライ弁Ｖが接続され、また上流側排出管１０８ｕと下流側排出管１０８ｄ間に、通常の開閉弁Ｖｄが接続される。前記通常の開閉弁Ｖｄの弁ハウジング１２ｄは、通常の弁のように不透明体により構成されており、その内部構造は、前記透明な弁ハウジングをもつ開閉弁すなわちバタフライ弁Ｖと同一構造であるので、その詳細な説明を省略する。
【００１８】
なお、この開閉弁Ｖｄは、前記構造のものに限定されずに、他の公知の開閉弁に代えてもよい。
【００１９】
次にこの第二実施例の作用について説明するに、たとえば底弁６1 を開弁すれば、液体室Ｌ1 内の液体は、液体取出配管７を通って上流側排出管１０８ｕに流入する。ここでバタフライ弁Ｖを開弁すれば、その液体はバタフライ弁Ｖ内に流入し、その透明な弁ハウジング１２を通してその液体を透視することができ、その色によりその種類を判別することができる。もし指定の液体と異なる液体を透視したときは、直ちにバタフライ弁Ｖを閉じ、底弁６1 を閉じることによりその液体の排出を防止することができる。而してこの第二実施例では、バタフライ弁Ｖの開弁後にも、排出管１０８内に排出液体を滞留させることができることにより、バタフライ弁Ｖの弁ハウジング１２全体でその排出液体を透視でき、その液体の判別がより確実になる。
【００２０】
以上、本発明の実施例について説明したが、本発明はその実施例に限定されることなく、本発明の範囲内で種々の実施例が可能である。たとえば前記実施例では、弁ハウジングは、その全体を透明体により構成した場合を説明したが、その一部を透明体により形成してもよい。
【００２１】
【発明の効果】
以上のように発明によれば、液体タンクにおける液体排出管装置において、開閉弁の弁ハウジング自体を透明体により形成し、該開閉弁以外に何らの構造上の変更を加えることなく排出液体の種類およびその排出状態を確認することができるので、従来のものに比べて大幅なコストダウンが可能になり、また液体排出管装置のメンテナンスも容易になり、さらに弁を閉じたままでも液体を透視することができる。
【００２２】
また特に前記開閉弁は、中央部に円形の弁口を有する円筒状の透明体よりなる弁ハウジングと、その弁ハウジングに支軸を介して回転自在に支承されると共にその弁口に開閉可能に収容されて閉弁時に該弁口の内周面に外周部が接する円形の弁体とを備えたバタフライ弁より構成される。
【図面の簡単な説明】
【図１】図１は、液体排出管装置を備えたタンクローリの側面図
【図２】図１の２線矢視の液体排出管装置の側面図
【図３】図２の３−３線に沿う断面図
【図４】図２の４−４線に沿う断面図
【図５】液体排出管装置の側面図（第二実施例）
【符号の説明】
１・・・・・・液体タンク
７・・・・・・液体取出配管
８・・・・・・排出管
１０８・・・・排出管
１０・・・・・ジョイント
１１・・・・・ホース
１２・・・・・弁ハウジング
１３・・・・・弁体
１４・・・・・弁口
１８・・・・・支軸
Ｖ・・・・・・開閉弁
Ｖｄ・・・・・開閉弁
【図１】
0003569593.tif 000002
【図２】
0003569593.tif 000003
【図３】
0003569593.tif 000004
【図４】
0003569593.tif 000005
【図５】
0003569593.tif 000006